(57)【特許請求の範囲】
【請求項１】
夫々水平方向に配置される多数のチューブ１と、それら各チューブ間に配置されるフィン２とによりコア３が形成され、
タンク４の長手方向が重力方向に位置して、夫々のチューブ端が連通するように、そのコア３の端にタンク４が接続されると共に、
そのタンク４の上端に首部５を有するカップ状のフィラーネック６が連通され、そのフィラーネック６の上端開口縁にプレッシャバルブ付きキャップが着脱自在に取付られるクロスフロー型ラジエータにおいて、
少なくとも前記首部５を水平方向に二分する仕切部７が形成され、注水時に仕切部７の一方側から給水ができ、他方側からエア抜きができるように構成され、
前記仕切部７は、それによって二分された前記給水側の面積がエア抜き側のそれよりも充分広くなるように、前記他方側寄りに片寄らせたクスフロー型ラジエータ。
【請求項２】
請求項１において、
前記タンク４の上端内面４ａをコア側に向けて先下がりの傾斜面とし、その頂部に前記首部５が連通され、
前記仕切部７がその首部５および先下がりの傾斜面の内面側まで延在されたクロスフロー型ラジエータ。
【発明の詳細な説明】
【０００１】
【発明の属する技術分野】
本発明は、タンクがコアの水平方向両側に配置されたクロスフロー型ラジエータにおいて、それを自動車等に搭載後、ラジエータ内部に冷却水を注水し、それと内部のエアとが迅速に置換されるものに関する。
【０００２】
【従来の技術】
クロスフロー型ラジエータは、多数のチューブが水平に配置され、それらの両端が一対のタンクに連通され、夫々のタンクの長手方向が重力方向に配置されたものである。そして、冷却水の入口側タンクの上端には給水用のフィラーネックが配置され、その開口にプレッシャバルブ付きキャップが着脱自在に被着されるものである。
【０００３】
【発明が解決しようとする課題】
従来のクロスフロー型ラジエータは、それを車両等に搭載し、内部に冷却水を注水するとき、各チューブ及びタンク内のエアと冷却水との置換が円滑に行われ難く、その作業に時間を要する欠点があった。
そこで本発明は、ラジエータ内部への冷却水の注水時に、その冷却水とエアとの置換を円滑に行い得るクロスフロー型ラジエータを提供することを課題とする。
【０００４】
【課題を解決するための手段】
請求項１に記載の本発明は、夫々水平方向に配置される多数のチューブ１と、それら各チューブ間に配置されるフィン２とによりコア３が形成され、
タンク４の長手方向が重力方向に位置して、夫々のチューブ端が連通するように、そのコア３の端にタンク４が接続されると共に、
そのタンク４の上端に首部５を有するカップ状のフィラーネック６が連通され、そのフィラーネック６の上端開口縁にプレッシャバルブ付きキャップが着脱自在に取付られるクロスフロー型ラジエータにおいて、
少なくとも前記首部５を水平方向に二分する仕切部７が形成され、注水時に仕切部７の一方側から給水ができ、他方側からエア抜きができるように構成され、
前記仕切部７は、それによって二分された前記給水側の面積がエア抜き側のそれよりも充分広くなるように、前記他方側寄りに片寄らせたクロスフロー型ラジエータである。
【０００５】
請求項２に記載の本発明は、請求項１において、
前記タンク４の上端内面４ａをコア側に向けて先下がりの傾斜面とし、その頂部に前記首部５が連通され、
前記仕切部７がその首部５および先下がりの傾斜面の内面側まで延在されたクロスフロー型ラジエータである。
【０００６】
【発明の実施の形態】
次に、図面に基づいて本発明の実施の形態につき説明する。
図１は本発明のクロスフロー型ラジエータの要部分解斜視図であり、図２は同ラジエータの縦断面略図である。また、図３は図２のIII −III 矢視断面図であり、図４は本発明の他の実施の形態を示すクロスフロー型ラジエータの要部縦断面図である。
本発明のクロスフロー型ラジエータは、そのコア３が多数のチューブ１とそれら各チューブ１間に配置されるフィン２とからなる。そして、夫々のチューブ１が水平に配置され、その両端部（コア３の左端部は省略されている）がチューブプレート10に貫通され、その貫通部が液密にろう付け固定されてなる。そのチューブプレート10は、タンク本体の開口に整合する外周を有し、その外周縁が僅かに立ち上げられ、その底部周縁に溝状部が形成されている。それと共に、チューブプレート10の立ち上げ縁部に多数の爪部10ａが一体に突設されている。
【０００７】
次にタンク４の本体は、この例では合成樹脂の細長い成形体からなり、その開口縁に僅かにフランジ状部が一体に形成されている。タンク４の上端には、首部５を介してフィラーネック６が一体に突設形成されている。フィラーネック６は、カップ状に形成され、その底部中央部がタンク４の内部と連通され、その底部開口縁に弁座部８が形成されている。また、フィラーネック６の上端縁には一部に欠切部を形成したフランジ状部が設けられ、そこに図示しないプレッシャバルブ付きキャップの係止用爪部を嵌入して、軸線回りに回転することにより、そのキャップをフィラネックに着脱自在に被着することができる。
【０００８】
ここにおいて、本発明の特徴とするところは、少なくとも首部５を水平方向に二分する仕切部７がその内部に形成され、それがタンク４の上端部まで延在している。なお、仕切部７の先端は、タンク４の開口縁よりも手前まで延びている。そしてこの例では、図３に示す如く仕切部７はタンク４内を一方側に片寄って配置され、その仕切部７によって二分された広い側に注水が行われ、狭い側からエアが放出される。このタンク４は、その長手方向が上下方向に配置され、その開口縁にチューブプレート10がＯリング11を介して被嵌され、爪部10ａを折り曲げることにより、チューブプレート10とタンク４との接続部を液密に形成している。なお、フィラネック６の外周に突設されたパイプ12の先端に図示しないホースの一端が接続され、その他端がサージタンクに連結されるものである。
【０００９】
次に図４の例は、タンク４の上端内面４ａがコア側に向けて先下がりに傾斜され、その頂部に首部５を介してフィラーネック６が設けられたものである。すなわち、上端内面４ａは水平面に対してθの角度で傾斜している。このように構成することにより、注水によって置換されたエアは円滑にフィラーネック６に導かれ外部に放出される。
【００１０】
【発明の作用・効果】
請求項１に記載のクロスフロー型ラジエータによれば、仕切部７の一方側から給水ができ、他方側からエア抜きができるように構成されているため、エアの放出と給水とが衝突することを防止し、注水を迅速に行うことができると共に、注水に伴うコア及びタンク内のエアを確実に外部に放出できる。
さらに、仕切部７によって二分された給水側の面積が、エア抜き側のそれよりも充分広くなるように形成されているため、注水をより迅速に行うことができる。
請求項２に記載のクロスフロー型ラジエータによれば、タンク４の上端内面４ａをコア側に向けて先下がりの傾斜面としているため、エアをフィラーネック６側に円滑に導き、エア抜きをより迅速に行うことが可能となる。
【図面の簡単な説明】
【図１】本発明のクロスフロー型ラジエータの要部分解斜視図。
【図２】同ラジエータの縦断面略図。
【図３】図２の III− III矢視断面図。
【図４】本発明の他の実施の形態を示すクロスフロー型ラジエータの要部縦断面図。
【符号の説明】
１  チューブ
２  フィン
３  コア
４  タンク
４ａ  上端内面
５  首部
６  フィラーネック
７  仕切部
８  弁座部
９  開口
10  チューブプレート
10ａ  爪部
11  Ｏリング
12  パイプ
【図１】
0004340937.tif 000002
【図２】
0004340937.tif 000003
【図３】
0004340937.tif 000004
【図４】
0004340937.tif 000005